(57)【要約】      （修正有）【課題】正しくプリーツ加工されて折り目が形成されたカーテンを、この折り目を損なうことなくしかも新たな別の折り目や折り癖等が生じないようにして運搬したり保管したりするカーテン用ケースを提供する。【解決手段】カーテン８５をあらかじめ予期された正しいプリーツの部分で折畳み、この様なカーテン８５をケースの上部に取付けた紙管８２の部分に吊下げ、上からスポンジ７２を有する押さえ手段によって押さえるようにしたものである。【選択図】図８
2019018904.tif 000002
【特許請求の範囲】
【請求項１】
カーテンを折畳んで搬送及び／または保管するカーテン用ケースにおいて、カーテンが使用状態であって折畳み状態と少なくとも一部の縦方向の折曲げ部が同じ折畳み形態でこのカーテン用ケースの上部に吊下げられるカーテン用ケース。
【請求項２】
互いに対抗する側板の間に断面が円形の吊下げ手段が水平に取付けられおり、該吊下げ手段に前記カーテンが吊下げられている請求項１に記載のカーテン用ケース。
【請求項３】
前記吊下げ手段が紙管である請求項２に記載のカーテン用ケース。
【請求項４】
縦長の一対の側板の上縁に二重の折曲げ線を介して内側に畳み込まれるように保持板が折曲げ可能に取付けられ、該保持板の中間位置に円形の開口が形成され、該開口に前記紙管の端部が受け入れて水平に支持されている請求項３に記載のカーテン用ケース。
【請求項５】
前記円形の開口の中心を通る位置から前記二重の折曲げ線に向けて形成された切込みと、前記切込みと平行に高さ方向の前記円形の開口の中心位置から前記二重の折曲げ線に向けて前記円形の開口の直径より大きな間隔で形成された一対の折曲げ線とが前記保持板に設けられ、前記折曲げ線を中心として両側の該折曲げ線と前記切込みとの間の領域を開くと前記紙管を導入する導入空間が形成される請求項４に記載のカーテン用ケース。
【請求項６】
押さえ手段と、該押さえ手段を支持する支持板とを備え、前記押さえ手段が前記紙管の上から該紙管に対して前記カーテンを押さえ、前記支持板の端部の折曲げ片が前記二重の折曲げ線間のスリットに挿入される請求項４に記載のカーテン用ケース。
【請求項７】
前記押さえ手段が、スポンジまたは高分子クッションである請求項６に記載のカーテン用ケース。
【請求項８】
前記押さえ手段の前記折曲げ片が、前記側板と前記保持板とをそれらの厚み方向に離間させるスペーサとして機能する請求項６に記載のカーテン用ケース。
【発明の詳細な説明】
【技術分野】
【０００１】
本発明はカーテン用ケースに係り、特にカーテンを折畳んで搬送及び／または保管するカーテン用ケースに関する。
【背景技術】
【０００２】
窓やドアの開口部の内側に取付けられるカーテンは、使用する際の利便性を考えて、製造時にプリーツ加工がなされている。すなわち、カーテンを構成する布地の部分に山折りと谷折りのプリーツを交互に形成し、特にカーテンを開放状態で両脇に収納した場合に、カーテンがこれらのプリーツによってきれいに折畳まれるようにしている。
【０００３】
ところがこの様なカーテンを搬送したりあるいは保管したりする際には、必ずしも使用状態と同じ状態で搬送、保管されるわけではない。特に搬送する場合には、各種のカーテンを折畳み、重ねて段ボール箱等に収納し、物流手段によって移動させるようにしている。従って、特に搬送中に、あるいは保管中に、互いの重みによってカーテンに不規則なしわや折癖等が発生する。この様な折癖は、装着した場合にすぐに回復することはなく、しわとしていつまでも残る場合が多い。従って折角新品のカーテンを買って来て装着しても、必ずしも良好な見栄えを発揮するようにはできないという問題があった。
【先行技術文献】
【特許文献】
【０００４】
【特許文献１】特開平９−２０７６４８
【発明の概要】
【発明が解決しようとする課題】
【０００５】
本願発明の課題は、カーテンを折畳んで搬送及び／保管する際に、不規則なあるいは見栄えを悪化させる原因となるしわや折り目等が発生しないようにしたカーテン用ケースを提供することである。
【０００６】
本発明の更に別の課題は、新品のカーテンがそのままの状態で収納され、その時にしわや折癖が目立たないようにし、製造時の状態のプリーツが正しく残るようにしたカーテン用ケースに関する。
【０００７】
本願発明の上記の課題及び別の課題は、以下に述べる本願発明の技術的思想、及びその実施の形態によって明らかにされる。
【課題を解決するための手段】
【０００８】
本願の主要な発明は、カーテンを折畳んで搬送及び／または保管するカーテン用ケースにおいて、カーテンが使用状態であって折畳み状態と少なくとも一部の縦方向の折曲げ部が同じ折畳み形態でこのカーテン用ケースの上部に吊下げられるようにしたものである。
【０００９】
ここで、互いに対抗する側板の間に断面が円形の吊下げ手段が水平に取付けられおり、該吊下げ手段に前記カーテンが吊下げられていてよい。また前記吊下げ手段が紙管であってよい。また縦長の一対の側板の上縁に二重の折曲げ線を介して内側に畳み込まれるように保持板が折曲げ可能に取付けられ、該保持板の中間位置に円形の開口が形成され、該開口に前記紙管の端部が受け入れて水平に支持されていてよい。また前記円形の開口の中心を通る位置から前記二重の折曲げ線に向けて形成された切込みと、前記切込みと平行に高さ方向の前記円形の開口の中心位置から前記二重の折曲げ線に向けて前記円形の開口の直径より大きな間隔で形成された一対の折曲げ線とが前記保持板に設けられ、前記折曲げ線を中心として両側の該折曲げ線と前記切込みとの間の領域を開くと前記紙管を導入する導入空間が形成されてよい。
【００１０】
また、押さえ手段と、該押さえ手段を支持する支持板とを備え、前記押さえ手段が前記紙管の上から該紙管に対して前記カーテンを押さえ、前記支持板の端部の折曲げ片が前記二重の折曲げ線間のスリットに挿入されてよい。また前記押さえ手段が、スポンジまたは高分子クッションであってよい。また前記押さえ手段の前記折曲げ片が、前記側板と前記保持板とをそれらの厚み方向に離間させるスペーサとして機能してよい。
【発明の効果】
【００１１】
本願発明の一態様によれば、カーテンを折畳んで搬送及び／または保管されるカーテン用ケースにおいて、カーテンが使用状態であって折畳み状態と少なくとも一部の縦方向の折曲げ部が同じ折曲げ形態でカーテン用ケースの上部に吊下げられるようになされ、互いに対抗する側板の間に断面が円形の吊下げ手段が水平に取付けられており、該吊下げ手段に前記カーテンが吊下げられるようにしたものである。
【００１２】
従ってこの様な構成によれば、最初の状態において吊下げ手段に対して正しく折り目が形成されたままのカーテンを吊下げることによって、見栄えを悪くするようなしわや折り目、めくれ等がなくなり、この吊下げ状態のカーテンを取外して所定の装着位置に装着することによって端整に見栄え良くカーテンが吊下げられることになる。
【図面の簡単な説明】
【００１３】
【図１】カーテンを収納するカーテン用ケースの身の部分の展開平面図である。
【図２】同このケースの組立て動作を示す斜視図である。
【図３】蓋の展開平面図である。
【図４】蓋の組立てを示す斜視図である。
【図５】押さえの底面図（Ａ）及び正面図（Ｂ）である。
【図６】底パッドの平面図（Ａ）及び正面図（Ｂ）である。
【図７】紙管の取付けを示す説明図である。
【図８】押さえの取付けを示す説明図である。
【図９】蓋の取付けを示す説明図である。
【図１０】組立てられたカーテン用ケースの外観を示す正面側（Ａ）及び背面側（Ｂ）の斜視図である。
【図１１】カーテンを展開した状態の平面図である。
【図１２】カーテンのプリーツの状態を示す断面図（Ａ）及びこのケースの紙管に巻付けて吊下げた状態の斜視図（Ｂ）である。
【発明を実施するための形態】
【００１４】
以下本発明を一実施の形態によって説明する。
【００１５】
図１は本発明の一実施の形態に係るカーテン用ケースの本体（身）の部分の展開平面図である。このカーテン用ケースは、例えばダンボールであって、例えば二層構造のダンボールを組立てて作られるようになっている。このカーテン用ケースの身の部分は、正面図１１、右側面図１２、背面図１３、左側面図１４を備え、これらが折曲げ線１５によって互いに折曲げ可能に連結された構造になっている。そして左端の正面板１１の端部には折曲げ線１６を介して接合片１７が連設されている。
【００１６】
このケースの底部側の部分には、背面板１３の下側に折曲げ線２７を介して底板２１が連設されている。この底板２１の先端部にはＵ字状の切込み２２が形成されている。正面板１１の下端には折曲げ線２７を介して補助底板２３が折曲げ可能に連設されている。この補助底板２３の先端部にはＵ字状突部２４が形成されている。次に左右の側板１２、１４の下端には折曲げ線２７を介して横フラップ２５が連設されている。これらの横フラップ２５の先端部には半Ｕ字状突部２６が形成されている。
【００１７】
また上記右側板１２と左側板１４の高さ方向の中間位置にそれぞれ取手穴３０が形成されている。この取手穴３０には高分子フィルムのバッグが組込まれるようになっている。また正面板１１と背面板１３の中間よりも上側の位置にはそれぞれ一対ずつの鋲取付け用小孔３１が形成されている。
【００１８】
次に左右側板１２、１４の上端側における保持板３７の構造について説明する。右側板１２及び左側板１４の上端は、互いに平行に且つこのダンボールの厚さのほぼ２倍の距離を隔てて一対の折曲げ線３５、３６が形成され、この様な折曲げ線３５、３６を介して保持板３７が折曲げ可能に連設されている。保持板３７の中心部には円形の開口３８が形成されている。また上記一対の折曲げ線３５、３６間には、横長のスリット３９が形成されている。そして上記円形の開口３８の左右の部分にはそれぞれ短い長さの横方向の切込み４０が形成されている。横方向の切込み４０の互いに反対側の端部は上記スリット３９の長さと一致している。そして円形の開口３８の中心部とスリット３９とを結ぶように縦方向の切込み４１が形成されている。更に円形の開口３８の両側には、横方向の切込み４０の終端とスリット３９の終端とを結ぶように縦方向に折曲げ線４２が形成されている。
【００１９】
次にこの様なケースの本体部の組立てを説明すると、図２に示すように、折曲げ線１５のところで４枚の側板１１、１２、１３、１４を互いに四角筒状に折曲げる。そしてこの様な折曲げ動作の後に、正面板１１の端部の接合片１７を折曲げ線１６のところで折曲げて反対側の左側板１４の端部に糊付けする。これによって図２次に示すように、直方体状に組立てられることになる。この後に、底部開口を底板２１、補助底板２３、両側の横フラップ２５によって組合わせて閉じる。この時に、Ｕ字状切込み２２とＵ字状突片２４と両側の半Ｕ字状突片２６とを互いに係合させ、これによって底部を閉じてロックする。
【００２０】
次に図３及び図４によって蓋の構造について説明する。蓋は、正面板４８と、右側板４９と、背面板５０と、左側板５１とを備え、これらが折曲げ線５２によって互いに折曲げ可能に連設されている。そして一番右側の背面板５０の端部には折曲げ線５３を介して接合片５４が折曲げ可能に連設されている。
【００２１】
次にこの蓋の上部の閉塞の構造について説明する。正面板４８の上端には、折曲げ線６４を介して蓋板５９が連設されている。この蓋板５９の先端部にＵ字状切込み５８が形成されている。これに対して背面板５０の上端部には折曲げ線６４を介して補助底板６１が連設されている。補助底板６１の上端にＵ字状突部６０が形成されている。また両側の側板４９、５１の上端にはそれぞれ折曲げ線６４を介して横フラップ６３が形成されるとともに、これらの横フラップ６３の先端部には半Ｕ字状突部６２が形成されている。
【００２２】
次にこの様な蓋の部分の組立て動作を図４によって説明する。正面板４８、右側板４９、背面板５０、左側板５１を互いに折曲げ線５２によって折曲げるとともに図３における右端の接合片５４を折曲げ線５３によって折曲げ、この接合片５４を反対側の左側板５１の端部の部分に糊付けして接合する。これによって図４に示すように、４角筒状に折曲げられることになる。なお蓋は、本体の正面板１１の部分が大きく下方に開かれているために、これを覆うように蓋の正面板４８は逆に下方に伸びており、両側板４９、５１の下端が水平ではなく、傾斜状態の形状をなしている。
【００２３】
次にこの蓋の上部の閉塞構造について説明すると、蓋は４枚の蓋板５９、６１、６２、６３によって閉塞されるようになっている。この動作を説明すると、折曲げ線６４によって両側の側板４９、５１の上端の部分をそれぞれ内側に折曲げる。そしてこの後に、折曲げ線６４によって正面板４８の上端の蓋板５９を折曲げ、この後に反対側の補助底板６１を折曲げる。この時に、上記蓋板５９のＵ字状切込み５８、補助底板６１のＵ字状突部６０、及び両側の補助フラップ６３の半Ｕ字状突部６２をそれぞれ組合せ、これによって蓋の上面を閉じた状態でロックする。
【００２４】
次に後述する紙管８２と共働してカーテンを押さえる押さえの構造について説明すると、図５Ａ、Ｂに示すように、押さえ手段はダンボール製の水平な支持板７３を備え、この支持板７３の左右の中間部であって下面にスポンジ７２を取付けている。そしてこのスポンジ７２を取付けた部分の両側において、折曲げ線７４よりも先端側の部分が折曲げ片７５を構成するようになっており、支持板７３はコ字状に折曲げられるようになっている（図５Ｂ参照）。
【００２５】
次にこのケースの底部に取付けられる底パッド８０について説明すると、側パッド８０は、長方形の形状をなすダンボールのシートである。なおこのシートは、例えば二重のダンボールであることが好ましい。またその大きさは、ケースの内寸に一致した縦方向と横方向の寸法に設定することが好ましい。
【００２６】
次にカーテンを吊下げるための動作について図７から図１０について説明する。カーテンをこのケースの中に吊下げる場合には、右側板１２の上端側の保持板３７と左側板１４の上端側の保持板３７とをそれぞれ図７に示すように右側板１２及び左側板１４の内側になるように二重の折曲げ線３５、３６のところで折曲げ、保持板３７を側板１２、１４の上端に重合わせるようにする。
【００２７】
そしてこの後に、円形の開口３８の上側にある縦方向の切込み４１によってこの切込み４１と折曲げ線４２との間の領域を折曲げ線４２を中心に９０度内側に開く。するとこれによって、縦方向の切込み４１と折曲げ線４２とによって円筒状の紙管８２を導入する導入路が形成されることになる。従ってこの様な導入路に対して、上方から静かに紙管８２を挿入する。そして紙管８２の両端がそれぞれ対応する側板１２、１４の保持板３７の円形の開口３８の内周面で受け入れられるようになったら、この状態で図７Ｂに示すように、両側の折曲げ線４２によってこの折曲げ線４２と切込み線４１の間の領域を元の状態に閉じる。すると切込み４１と折曲げ線４２との間の部分が上記の導入路を閉鎖することになり、紙管８２を上から押さえることになる（図７Ｂ参照）。
【００２８】
このようにして紙管８２を挿入したならば、この後にあらかじめ用意しておいたカーテン８５を紙管８２の上に掛けるようにして吊下げる。すなわちカーテン８５の長さ方向の中間部分を紙管８２の外周面で押さえる。そしてこの後に図８Ａ、Ｂに示すように押さえを取付ける。この押さえの取付けは、支持板７３の両端の折曲げ片７５を折曲げ線７４の部分であらかじめ折曲げて下方に向けておく。この状態で静かに押さえを下方に移動すると、押さえの折曲げ片７５が本体側（身）の右側板１２と左側板１４の上端のスリット３９の部分に挿入され、図８Ｂに示す状態になる。この時に支持板７３の下部に取付けられているスポンジ７２が折りたたまれたカーテン８５を上から押さえることになる。従って中間部分が紙管８２に受けられた状態で、カーテン８５はこのケース内で安定に支持されるようになる。
【００２９】
次に図９に示すように、カーテン８５を収納した後に、蓋をケースに取付ける。ケースは、前面側の方が多く切込まれているために、側板が高さ方向に長い正面板４８の部分が正面になるようにこのケースの上部に蓋をかぶせる。そして鋲取付け用小孔３１、６５にそれぞれ取付けられた文化鋲８７を用いて、紐で蓋を押さえることによって、蓋が取付けられた状態になる。
【００３０】
ここでこのケースに収納されるカーテン８５について説明すると、カーテン８５は、開口部あるいはドアの部分に取付けられた状態で開放すると、両側に折りたたまれた状態で収納されるようになる。この時に図１１に示すように、プリーツ９１、９２が交互に折り癖としてついているために、カーテン８５を閉じると正しく折りたたまれるようになる。そしてこの様な折畳み状態を維持したままでケースによって運搬したり保管したりすると、このカーテンがしわを生じることはなくなる。
【００３１】
そのために図１２Ａ及び図１２Ｂに示すようにプリーツ９１、９２と同じ状態でこのカーテン８５を折畳むようにし、このように折畳みの状態で紙管８２に吊下げるようにしている。従って、折りたたまれた状態のカーテン８５には、上記のプリーツ９１、９２以外の折りじわあるいは押さえによる変形等が生じることがなく、そのまま取外して所定の位置へ吊下げると、きれいに展張されてそのまま使えることになり、見た目も非常に良好になる。
【００３２】
以上本願発明を図示の実施の形態によって説明したが、本願発明は上記実施の形態によって限定されることなく、本願発明の技術的思想の範囲内において各種の変更が可能である。例えば上記実施の形態における押さえ手段のスポンジ７２の部分を、スポンジに替えて発泡体の高分子材料からなるクッション等に置き換えることも可能である。また上記実施の形態におけるカーテン８５に対するプリーツ９１、９２の間隔等についても、用いられるカーテンの種類等に応じて各種の変形が可能である。
【産業上の利用可能性】
【００３３】
本願発明は、プリーツ加工されて正しく折り目が形成されたカーテンを、しわを生じることなく正しく運搬したり保管したりするためのカーテン用ケースに広く利用することが可能である。
【符号の説明】
【００３４】
１１  正面図
１２  右側板
１３  背面板
１４  左側板
１５  折曲げ線
１６  折曲げ線
１７  接合片
２１  底板
２２  Ｕ字状切込み
２３  補助底板
２４  Ｕ字状突部
２５  横フラップ
２６  半Ｕ字状突部
２７  折曲げ線
３０  取手穴
３１  鋲取付用小孔
３５  折曲げ線
３６  折曲げ線
３７  保持板
３８  円形の開口
３９  スリット
４０  横方向の切込み
４１  縦方向の切込み
４２  折曲げ線
４８  正面板
４９  右側板
５０  背面板
５１  左側板
５２  折曲げ線
５３  折曲げ線
５４  接合片
５８  Ｕ字状切込み
５９  底板
６０  Ｕ字状突部
６１  補助底板
６２  半Ｕ字状突部
６３  横フラップ
６４  折曲げ線
６５  鋲取付用小孔
７２  スポンジ
７３  支持板
７４  折曲げ線
７５  折曲げ片
８０  底パッド
８２  紙管
８５  カーテン
８７  文化鋲
９１  プリーツ（山折り）
９２  プリーツ（谷折り）
【図１】
2019018904.tif 000003
【図２】
2019018904.tif 000004
【図３】
2019018904.tif 000005
【図４】
2019018904.tif 000006
【図５】
2019018904.tif 000007
【図６】
2019018904.tif 000008
【図７】
2019018904.tif 000009
【図８】
2019018904.tif 000010
【図９】
2019018904.tif 000011
【図１０】
2019018904.tif 000012
【図１１】
2019018904.tif 000013
【図１２】
2019018904.tif 000014